(57)【特許請求の範囲】
【請求項１】
着用者からの排泄物を受ける吸収性物品であって、
バックシートと、
前記バックシート上に重ねられて前記バックシートに接合され、着用者の股間部に対向する開口を有する吸収性シート部材と、
を備え、
前記吸収性シート部材が、
前記着用者の腹側に配置される前部吸収コアと、
前記着用者の背側に配置される後部吸収コアと、
前記前部吸収コアおよび前記後部吸収コアを被覆するとともに前記前部吸収コアと前記後部吸収コアとの間に前記開口が形成された透液性のコア被覆シートと、
前記前部吸収コアおよび前記後部吸収コアが並ぶ方向である長手方向に垂直な幅方向の両側にて前記長手方向に伸びるとともに前記コア被覆シートに接合される一対の弾性部材と、
を備え、
前記一対の弾性部材が、少なくとも前記開口の前記幅方向の外側から前記後部吸収コアに重なる位置まで設けられ、収縮することにより前記後部吸収コアを前記前部吸収コアに向かって引き寄せ、
前記開口の前記幅方向の両側において、前記コア被覆シートの前記幅方向の端部が前記バックシートに接合されるとともに前記一対の弾性部材の前記幅方向の外側において前記コア被覆シートの前記バックシートに対向する面が前記バックシートと非接合とされることにより、前記コア被覆シートと前記バックシートとの間に側部ポケットが形成され、
前記吸収性シート部材の前記後部吸収コアの周囲のうち前記開口から前記一対の弾性部材の前記幅方向の外側までの部位を除く部位が前記バックシートと接合されることにより、前記後部吸収コアと前記バックシートとの間に後部ポケットが形成されることを特徴とする吸収性物品。
【請求項２】
請求項１に記載の吸収性物品であって、
前記後部吸収コアの前記開口近傍の部位において前記後部吸収コアの幅が、前記前部吸収コアに近づくに従って漸次減少することを特徴とする吸収性物品。
【請求項３】
請求項２に記載の吸収性物品であって、
前記一対の弾性部材が、前記開口近傍において前記後部吸収コアの前記幅方向の外側に位置することを特徴とする吸収性物品。
【請求項４】
請求項１ないし３のいずれかに記載の吸収性物品であって、
前記前部吸収コアと前記後部吸収コアとが前記長手方向において離間していることを特徴とする吸収性物品。
【請求項５】
請求項１ないし４のいずれかに記載の吸収性物品であって、
前記一対の弾性部材の前記後部吸収コアと重なる部位が、前記後部吸収コアの前記バックシート側に配置されることを特徴とする吸収性物品。
【請求項６】
請求項１ないし５のいずれかに記載の吸収性物品であって、
前記一対の弾性部材が、前記後部吸収コアから前記前部吸収コアに重なる位置まで前記長手方向に伸びており、
前記吸収性シート部材の前記前部吸収コアの周囲のうち前記開口から前記一対の弾性部材の前記幅方向の外側までの部位を除く部位が前記バックシートと接合されることにより、前記前部吸収コアと前記バックシートとの間に前部ポケットが形成されることを特徴とする吸収性物品。
【請求項７】
請求項１ないし６のいずれかに記載の吸収性物品であって、
前記バックシートが、
撥水性または不透液性の外装シートと、
前記外装シート上に積層された親水性シートと、
を備えることを特徴とする吸収性物品。
【請求項８】
請求項１ないし６のいずれかに記載の吸収性物品であって、
前記バックシートが、
撥水性または不透液性の外装シートと、
前記外装シート上に設けられた高吸収性樹脂層と、
を備えることを特徴とする吸収性物品。
【請求項９】
請求項１ないし８のいずれかに記載の吸収性物品であって、
前記バックシートの前記幅方向の両側において前記長手方向のほぼ全長に亘って設けられた一対の側壁部をさらに備えることを特徴とする吸収性物品。
【請求項１０】
請求項１ないし９のいずれかに記載の吸収性物品であって、
着用者が着用する外装物品の内側に取り付けられる補助吸収具であることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつ等の吸収性物品では、水分を多く含む軟便が排泄された場合に、軟便が着用者と吸収性物品との間で広がって着用者の肌に広範囲に亘って付着することを防止するため、様々な提案が行われている。
【０００３】
例えば、特許文献１の使い捨て着用物品では、着用者の肛門に対向する開口が中央に形成されたシート状のライナが、バックシート上に固定された半剛性吸収体の着用者側に半剛性吸収体の後胴周域に対向して設けられており、ライナの開口を通過した軟便を、ライナと半剛性吸収体との間の空間に収容することにより、着用者に対する軟便の付着防止が図られている。特許文献１では、ライナの開口周縁に沿って弾性部材をライナに接合することにより開口状態を維持し、開口の幅方向の両側にて長手方向に伸びる弾性部材をライナに接合することにより、ライナを半剛性吸収体から離れるように持ち上げる技術が開示されている。
【０００４】
特許文献２の使い捨ておむつでは、幅方向の両側において長手方向に伸びるとともに着用者に向けて立ち上がる一対の側壁部の頂縁間（すなわち、着用者側の両端部の間）にシート状の頂面部が設けられており、吸収コア、一対の側壁部、および、吸収コアと離間しつつ対向する頂面部により空洞部が形成され、頂面部に形成された開口を通過した排泄物が当該空洞部に収容される。特許文献２の使い捨ておむつでは、好ましくは捲縮している合成繊維や発泡ウレタンシート等の軟質の発泡プラスチックシートにより形成されたパッド部材を、頂面部の開口の周囲に設けることにより、頂面部の開口が着用者の肛門等からずれてしまうことを抑制する技術が開示されている。
【特許文献１】特開２００７−３００９４０号公報
【特許文献２】特許第３４０６２０５号公報
【発明の開示】
【発明が解決しようとする課題】
【０００５】
ところで、特許文献１の使い捨て着用物品では、ライナが２枚のシートを積層した薄いシートであるため、着用者の体圧等によりライナが半剛性吸収体に当接してしまい、ライナと半剛性吸収体との間の空間が押しつぶされて軟便等を収容することができないおそれがある。また、着用者の動きによりライナが捩れてしまい、開口が着用者の肛門等からずれてしまう可能性もある。
【０００６】
特許文献２の使い捨ておむつでも同様に、頂面部が開口の周囲を除いて薄いシートとされるため、着用者の体圧等により頂面部と吸収コアとが当接してしまい、空洞部が押しつぶされて軟便等を収容することができないおそれがある。また、特許文献２の使い捨ておむつでは、側壁部および頂面部の外面が疎水性（好ましくは疎水性かつ不透液性）とされるため、開口が肛門等から僅かでもずれると、開口を通過しなかった排泄物が頂面部に沿って前後に広がってしまい、着用者の肌に広範囲に亘って付着することとなる。
【０００７】
本発明は、上記課題に鑑みなされたものであり、開口近傍における吸収性シート部材とバックシートとの間の厚さ方向の距離を大きく維持し、また、吸収性シート部材の開口近傍の部位を着用者に密着させることを目的としている。
【課題を解決するための手段】
【０００８】
請求項１に記載の発明は、着用者からの排泄物を受ける吸収性物品であって、バックシートと、前記バックシート上に重ねられて前記バックシートに接合され、着用者の股間部に対向する開口を有する吸収性シート部材とを備え、前記吸収性シート部材が、前記着用者の腹側に配置される前部吸収コアと、前記着用者の背側に配置される後部吸収コアと、前記前部吸収コアおよび前記後部吸収コアを被覆するとともに前記前部吸収コアと前記後部吸収コアとの間に前記開口が形成された透液性のコア被覆シートと、前記前部吸収コアおよび前記後部吸収コアが並ぶ方向である長手方向に垂直な幅方向の両側にて前記長手方向に伸びるとともに前記コア被覆シートに接合される一対の弾性部材とを備え、前記一対の弾性部材が、少なくとも前記開口の前記幅方向の外側から前記後部吸収コアに重なる位置まで設けられ、収縮することにより前記後部吸収コアを前記前部吸収コアに向かって引き寄せ、前記開口の前記幅方向の両側において、前記コア被覆シートの前記幅方向の端部が前記バックシートに接合されるとともに前記一対の弾性部材の前記幅方向の外側において前記コア被覆シートの前記バックシートに対向する面が前記バックシートと非接合とされることにより、前記コア被覆シートと前記バックシートとの間に側部ポケットが形成され、前記吸収性シート部材の前記後部吸収コアの周囲のうち前記開口から前記一対の弾性部材の前記幅方向の外側までの部位を除く部位が前記バックシートと接合されることにより、前記後部吸収コアと前記バックシートとの間に後部ポケットが形成される。
【０００９】
請求項２に記載の発明は、請求項１に記載の吸収性物品であって、前記後部吸収コアの前記開口近傍の部位において前記後部吸収コアの幅が、前記前部吸収コアに近づくに従って漸次減少する。
【００１０】
請求項３に記載の発明は、請求項２に記載の吸収性物品であって、前記一対の弾性部材が、前記開口近傍において前記後部吸収コアの前記幅方向の外側に位置する。
【００１１】
請求項４に記載の発明は、請求項１ないし３のいずれかに記載の吸収性物品であって、前記前部吸収コアと前記後部吸収コアとが前記長手方向において離間している。
【００１２】
請求項５に記載の発明は、請求項１ないし４のいずれかに記載の吸収性物品であって、前記一対の弾性部材の前記後部吸収コアと重なる部位が、前記後部吸収コアの前記バックシート側に配置される。
【００１３】
請求項６に記載の発明は、請求項１ないし５のいずれかに記載の吸収性物品であって、前記一対の弾性部材が、前記後部吸収コアから前記前部吸収コアに重なる位置まで前記長手方向に伸びており、前記吸収性シート部材の前記前部吸収コアの周囲のうち前記開口から前記一対の弾性部材の前記幅方向の外側までの部位を除く部位が前記バックシートと接合されることにより、前記前部吸収コアと前記バックシートとの間に前部ポケットが形成される。
【００１４】
請求項７に記載の発明は、請求項１ないし６のいずれかに記載の吸収性物品であって、前記バックシートが、撥水性または不透液性の外装シートと、前記外装シート上に積層された親水性シートとを備える。
【００１５】
請求項８に記載の発明は、請求項１ないし６のいずれかに記載の吸収性物品であって、前記バックシートが、撥水性または不透液性の外装シートと、前記外装シート上に設けられた高吸収性樹脂層とを備える。
【００１６】
請求項９に記載の発明は、請求項１ないし８のいずれかに記載の吸収性物品であって、前記バックシートの前記幅方向の両側において前記長手方向のほぼ全長に亘って設けられた一対の側壁部をさらに備える。
【００１７】
請求項１０に記載の発明は、請求項１ないし９のいずれかに記載の吸収性物品であって、着用者が着用する外装物品の内側に取り付けられる補助吸収具である。
【発明の効果】
【００１８】
本発明では、開口近傍における吸収性シート部材とバックシートとの間の厚さ方向の距離を大きく維持することができるとともに吸収性シート部材の開口近傍の部位を着用者に密着させることもできる。
【００１９】
請求項２ないし６の発明では、側部ポケットにおける吸収性シート部材とバックシートとの間の厚さ方向の距離をより大きくすることができるとともに吸収性シート部材の開口近傍の部位を着用者により密着させることもできる。また、請求項６の発明では、排泄物の収容力をさらに向上することもできる。
【００２０】
請求項７の発明では、排泄物の水分をバックシート上にて迅速に拡散させて後部ポケットの内部空間へと容易に導くことができる。また、請求項８の発明では、排泄物の水分をバックシート上にて固定することにより着用者への排泄物の付着を抑制することができる。さらに、請求項９の発明では、排泄物が脚周りから漏出することを防止することができる。
【発明を実施するための最良の形態】
【００２１】
図１は、本発明の一の実施の形態に係る吸収性物品１を広げた状態にて示す平面図である。吸収性物品１は、着用者が着用する外装物品である使い捨ておむつ等の内側に取り付けられ、着用者からの軟便等の排泄物を受ける補助吸収具である。図１では、着用者に接する面（すなわち、着用者側）を手前側にして吸収性物品１を描いている。
【００２２】
図１に示すように、吸収性物品１は、平面視において略矩形状である略シート状の本体部２、および、本体部２の幅方向の両側（すなわち、図１中の左右方向の両側であり、後述する吸収性シート部材２０の幅方向の両側でもある。）において幅方向に垂直な長手方向のほぼ全長に亘って設けられた一対の側壁部３を備える。吸収性物品１では、側壁部３に設けられた弾性部材３１が収縮することにより、本体部２の側方において側壁部３が着用者側に向かって起立し、着用時に着用者の足の付け根近傍に当接する立体ギャザーが形成される。
【００２３】
側壁部３としては、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ不織布）が利用される。また、弾性部材３１としては、例えば、ポリウレタン糸、帯状のポリウレタンフィルム、糸状または帯状の天然ゴム等が用いられる。
【００２４】
本体部２の図１中における上側の部位２０１および下側の部位２０３はそれぞれ、着用者の腹側および背側の肌に接する部位であり、以下の説明では、「前方部２０１」および「後方部２０３」と呼ぶ。また、前方部２０１と後方部２０３との間において前方部２０１および後方部２０３から連続するとともに着用者の股間部に対向する部位２０２を「中間部２０２」と呼ぶ。
【００２５】
図２および図３はそれぞれ、吸収性物品１を、図１中に示す後方部２０３のＡ−Ａの位置、および、中間部２０２のＢ−Ｂの位置にて、吸収性物品１の長手方向（すなわち、図１中の上下方向）に垂直な面で切断した断面図であり、図４は、吸収性物品１を図１中に示すＣ−Ｃの位置にて吸収性物品１の幅方向に垂直な面で切断した断面図である。なお、吸収性物品１では、前方部２０１の構造は後方部２０３の構造とほぼ同様であり、前方部２０１の長手方向に垂直な断面図は図２と同様である。
【００２６】
図１ないし図４に示すように、本体部２は、バックシート２３、および、バックシート２３上（すなわち、バックシート２３の着用者側）に重ねられて周縁部においてバックシート２３に接合される吸収性シート部材２０を備える。吸収性シート部材２０の長手方向のおよそ中央には、図１、図３および図４に示すように、着用者の股間部に対向する開口２５が形成されており、開口２５の幅は、吸収性物品１の幅よりも小さくされる。バックシート２３は、吸収性シート部材２０の開口２５から露出して着用者の股間部に直接対向する中央露出領域２３５を有する。
【００２７】
図１および図４に示すように、吸収性シート部材２０は、吸収性物品１の着用時に着用者の腹側に配置される前部吸収コア２１２、前部吸収コア２１２と長手方向において離間するとともに着用者の背側に配置される後部吸収コア２２２、並びに、前部吸収コアおよび後部吸収コア２２２のそれぞれの上面および下面（すなわち、前部吸収コアおよび後部吸収コア２２２のそれぞれの着用者側およびバックシート２３側）を被覆する透液性のコア被覆シート２２を備える。図１中では、前部吸収コア２１２および後部吸収コア２２２の輪郭を太い破線にて描いている。
【００２８】
図１に示すように、後部吸収コア２２２の開口２５側のエッジ、および、開口２５の後部吸収コア２２２側のエッジは長手方向に関して凹状となっており、前部吸収コア２１２の開口２５側のエッジ、および、開口２５の前部吸収コア２１２側のエッジも長手方向に関して凹状となっている。また、後部吸収コア２２２の開口２５側のエッジ、および、開口２５の後部吸収コア２２２側のエッジは、幅方向の中央において両側の部位よりも大きく凹状となって前部吸収コア２１２から大きく離れている。換言すれば、後部吸収コア２２２の開口２５側のエッジ、および、開口２５の後部吸収コア２２２側のエッジでは、幅方向の中央における曲率半径が他の部位の曲率半径よりも小さい。
【００２９】
図２および図４に示すように、コア被覆シート２２は、前部吸収コア２１２および後部吸収コア２２２のそれぞれの上面を覆う第１被覆シート２２０１、並びに、前部吸収コア２１２および後部吸収コア２２２のそれぞれの下面を覆う第２被覆シート２２０２を備える。コア被覆シート２２では、前部吸収コアと後部吸収コア２２２との間に上述の開口２５が形成され、コア被覆シート２２の前部吸収コア２１２を覆う部位と後部吸収コア２２２を覆う部位とは、開口２５の幅方向の両側にて連続している。
【００３０】
吸収性シート部材２０は、また、図１ないし図３に示すように、開口２５の幅方向の両側にて長手方向（すなわち、前部吸収コア２１２および後部吸収コア２２２が並ぶ方向）に伸びる一対の弾性部材２９を備える。弾性部材２９としては、例えば、ポリウレタン糸、帯状のポリウレタンフィルム、糸状または帯状の天然ゴム等が用いられ、本実施の形態では、各弾性部材２９は２本のポリウレタン糸を有する。弾性部材２９は、少なくとも開口２５の幅方向の外側から後部吸収コア２２２に重なる位置まで設けられ、本実施の形態では、図１に示すように、後部吸収コア２２２に重なる位置から前部吸収コア２１２に重なる位置まで長手方向に伸びている。
【００３１】
図１および図２に示すように、弾性部材２９の後部吸収コア２２２と重なる部位は、後部吸収コア２２２のバックシート２３側にて後部吸収コア２２２とコア被覆シート２２の第２被覆シート２２０２との間に配置され、伸張状態にて第２被覆シート２２０２および後部吸収コア２２２に接合される。また、弾性部材２９の前部吸収コア２１２と重なる部位は、弾性部材２９の後部吸収コア２２２と重なる部位と同様に、前部吸収コア２１２のバックシート２３側にて前部吸収コア２１２と第２被覆シート２２０２との間に配置され、第２被覆シート２２０２および前部吸収コア２１２に伸張状態にて接合される。
【００３２】
弾性部材２９の前部吸収コア２１２と後部吸収コア２２２との間の部位は、図３に示すように、コア被覆シート２２の第１被覆シート２２０１と第２被覆シート２２０２との間において開口２５近傍に配置され、第１被覆シート２２０１および第２被覆シート２２０２に伸張状態にて接合される。図１に示す吸収性物品１では、一対の弾性部材２９が収縮することにより、後部吸収コア２２２が前部吸収コア２１２に向かって引き寄せられ、前部吸収コア２１２が後部吸収コア２２２に向かって引き寄せられることにより、前方部２０１および後方部２０３が着用者に沿うように変形する。
【００３３】
上述のように、前部吸収コア２１２および後部吸収コア２２２は長手方向に関して離間しているため、開口２５の幅方向の両側の領域（一対の弾性部材２９の幅方向の外側の領域を含む。）には、前部吸収コア２１２および後部吸収コア２２２は存在しない。
【００３４】
図１に示すように、本体部２の長手方向の両端部近傍では、後部吸収コア２２２の幅は本体部２の幅にほぼ等しくされ、前部吸収コア２１２の幅も本体部２の幅にほぼ等しくされる。また、吸収性シート部材２０では、後部吸収コア２２２の開口２５近傍の部位において、後部吸収コア２２２の幅が開口２５および前部吸収コア２１２に近づくに従って漸次減少し、前部吸収コア２１２の開口２５近傍の部位において、前部吸収コア２１２の幅が開口２５および後部吸収コア２２２に近づくに従って漸次減少する。開口２５近傍では、一対の弾性部材２９が、前部吸収コア２１２および後部吸収コア２２２の外側に位置する。
【００３５】
前部吸収コア２１２および後部吸収コア２２２はそれぞれ、親水性繊維（例えば、粉砕したパルプ繊維やセルロース繊維）に粒状の吸水性ポリマー（例えば、ＳＡＰ（Super Absorbent Polymer））を混合したものをティッシュペーパーや透液性不織布等により包み込んで形成され、コア被覆シート２２を透過した水分を吸収して迅速に固定する。親水性繊維を包むティッシュペーパーや透液性不織布等は、親水性繊維および吸水性ポリマーとホットメルト接着剤により接合されて、親水性繊維の型崩れ、および、吸水性ポリマーの脱落（特に、吸水後における脱落）を防止する。
【００３６】
コア被覆シート２２の第１被覆シート２２０１および第２被覆シート２２０２は透液性のシート材料、例えば、親水性繊維により形成された不織布であり、着用者からの排泄物の水分を速やかに捕捉して前部吸収コア２１２および後部吸収コア２２２へと移動させる。コア被覆シート２２として利用される不織布は、例えば、ポイントボンド不織布やエアスルー不織布、スパンレース不織布であり、これらの不織布を形成する親水性繊維としては通常、セルロースやレーヨン、コットン等が用いられる。なお、コア被覆シート２２として、表面を界面活性剤により親水処理した疎水性繊維（例えば、ポリプロピレン、ポリエチレン、ポリエステル、ポリアミド、ナイロン）にて形成された透液性の不織布が利用されてもよい。
【００３７】
バックシート２３は、図２および図３に示すように、本体部２の幅方向の両側において着用者側へと折り返され、前部吸収コア２１２および後部吸収コア２２２のそれぞれの幅方向の端部を覆いつつ、コア被覆シート２２の着用者側にてコア被覆シート２２の幅方向の端部にホットメルト接着剤等により接合される。また、一対の側壁部３は、バックシート２３の幅方向の両側にホットメルト接着剤等により接合される。
【００３８】
吸収性物品１では、図３に示すように、開口２５の幅方向の両側かつ一対の弾性部材２９の幅方向の外側において、コア被覆シート２２のバックシート２３に直接的に対向する面（すなわち、間に介在物が存在しない状態で対向する面）がバックシート２３と非接合とされる。これにより、開口２５の幅方向の両側において、コア被覆シート２２とバックシート２３との間に一対の側部ポケット２８が形成される。
【００３９】
バックシート２３は、図２ないし図４に示すように、撥水性または不透液性の外装シート２３１、外装シート２３１上（すなわち、外装シート２３１の着用者側）に設けられた非常に薄い吸収シート２３３、並びに、外装シート２３１および吸収シート２３３上（すなわち、外装シート２３１および吸収シート２３３の着用者側）に積層された親水性シート２３２を備える。
【００４０】
外装シート２３１としては、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ不織布）や、撥水性または不透液性のプラスチックフィルム、あるいは、これらの不織布とプラスチックフィルムとが積層された積層シートが利用され、バックシート２３に到達した排泄物の水分等が、本体部２の外側にしみ出すのを防止する。外装シート２３１にプラスチックフィルムが利用される場合、吸収性物品１のムレを防止して着用者の快適性を向上するという観点からは、透湿性（通気性）を有するプラスチックフィルムが利用されることが好ましい。
【００４１】
吸収シート２３３は、２枚のシート、および、当該２枚のシートの間に設けられた高吸収性樹脂層を備え、高吸収性樹脂層は、ＳＡＰ等の粒状の吸水性ポリマーをホットメルト接着剤により２枚のシートに固定することにより形成される。２枚のシートとしては、親水性繊維より形成される不織布、親水処理した疎水性繊維より形成される不織布、あるいは、ティッシュ等が利用される。高吸収性樹脂層（すなわち、粒状の吸水性ポリマー）は、上記２枚のシートの間で長手方向に伸びるストライプ状に配置される。換言すれば、長手方向に伸びる複数の高吸収性樹脂層のそれぞれの間に、吸水性ポリマーが存在しない領域が設けられる。そして、吸水性ポリマーが存在しない領域において２枚のシートが接合されることにより、複数の高吸収性樹脂層がそれぞれ封止される。なお、吸収シート２３３に代えて、ＳＡＰ等の粒状の吸水性ポリマーを外装シート２３１上に散布し、ホットメルト接着剤等により外装シート２３１に接着することにより、高吸収性樹脂層が外装シート２３１上に直接形成されてもよい。また、親水性シート２３２としては、好ましくは、セルロースやレーヨン、コットン等の親水性繊維により形成された不織布（例えば、スパンレース不織布）、あるいは、表面を界面活性剤により親水処理した疎水性繊維（例えば、ポリプロピレン、ポリエチレン、ポリエステル、ポリアミド、ナイロン）にて形成された親水性の不織布が利用される。
【００４２】
本体部２では、図１に示す吸収性シート部材２０の後部吸収コア２２２の周囲のうち開口２５から一対の弾性部材２９の幅方向の外側までの部位（本実施の形態では、後部吸収コア２２２の周囲のうち、開口２５のエッジを含むとともに当該エッジから本体部２の幅方向の両端部におよそ至る部位）が、図４に示すようにバックシート２３の着用者側の面と非接合とされ、後部吸収コア２２２の周囲のうち当該非接合とされる部位を除く部位がバックシート２３と接合されることにより、後部吸収コア２２２とバックシート２３との間（すなわち、吸収性シート部材２０の後部吸収コア２２２に対応する部位とバックシート２３との間）に後部ポケット２７が形成される。
【００４３】
また、図１に示す吸収性シート部材２０の前部吸収コア２１２の周囲のうち開口２５から一対の弾性部材２９の幅方向の外側までの部位（本実施の形態では、前部吸収コア２１２の周囲のうち、開口２５のエッジを含むとともに当該エッジから本体部２の幅方向の両端部におよそ至る部位）が、図４に示すようにバックシート２３の着用者側の面と非接合とされ、前部吸収コア２１２の周囲のうち当該非接合とされる部位を除く部位がバックシート２３と接合されることにより、前部吸収コア２１２とバックシート２３との間（すなわち、吸収性シート部材２０の前部吸収コア２１２に対応する部位とバックシート２３との間）に前部ポケット２６が形成される。図１に示す吸収性物品１では、前部ポケット２６および後部ポケット２７は、一対の側部ポケット２８と連続している。
【００４４】
吸収性物品１では、着用者から排泄された軟便等の排泄物が、開口２５を介してバックシート２３へと向かい、バックシート２３の中央露出領域２３５にて受けられる。中央露出領域２３５にて受けられた排泄物は、後部ポケット２７、側部ポケット２８および前部ポケット２６の内部空間へと移動して収容される。
【００４５】
上述のように、吸収性物品１では、開口２５の両側において伸張状態にてコア被覆シート２２に接合される一対の弾性部材２９が設けられており、弾性部材２９が長手方向に収縮することにより、図３に示すように、一対の側部ポケット２８のそれぞれにおいて、吸収性シート部材２０のコア被覆シート２２がバックシート２３と共に着用者側へと大きく立ち上がる。また、弾性部材２９の収縮により、図２および図４に示すように、後部吸収コア２２２がバックシート２３から離れるように（すなわち、後部ポケット２７における後部吸収コア２２２とバックシート２３との厚さ方向の距離が大きくなるように）着用者側へと持ち上げられる。
【００４６】
これにより、開口２５近傍における吸収性シート部材２０とバックシート２３との間の厚さ方向の距離を大きく維持することができるとともに吸収性シート部材２０の開口２５近傍の部位を着用者に密着させることもできる。その結果、排泄物を側部ポケット２８および後部ポケット２７に確実に収容して保持することができ、排泄物が広がって着用者の肌に広範囲に亘って付着することが防止される。このように、吸収性物品１は、排泄物が広い範囲に広がってしまうことを防止することができるため、使い捨ておむつ等の外装物品の内側にて着用者の肌の比較的狭い範囲を覆うとともに容易に交換可能な補助吸収具に特に適している。
【００４７】
吸収性物品１では、一対の弾性部材２９が開口２５の幅方向における近傍に配置されることにより、一対の側部ポケット２８のそれぞれにおいて、吸収性シート部材２０のコア被覆シート２２がバックシート２３と共に着用者側へとより大きく立ち上がる。これにより、開口２５近傍における吸収性シート部材２０とバックシート２３との間の厚さ方向の距離をより大きくすることができるとともに吸収性シート部材２０の開口２５近傍の部位を着用者にさらに密着させることもできる。
【００４８】
吸収性物品１では、本体部２の前方部２０１において、吸収性シート部材２０とバックシート２３との間に前部ポケット２６が形成されることにより、排泄物の収容力が向上される。その結果、排泄時に後部ポケット２７および側部ポケット２８に収容されなかった排泄物を前部ポケット２６に収容することにより、あるいは、吸収性物品１の交換時に後部ポケット２７から流出した排泄物を前部ポケット２６に収容することにより、排泄物が着用者の肌に付着することがさらに抑制される。
【００４９】
また、後部吸収コア２２２から前部吸収コア２１２に亘って設けられる一対の弾性部材２９が収縮することにより、前部吸収コア２１２がバックシート２３から離れるように（すなわち、前部ポケット２６における前部吸収コア２１２とバックシート２３との厚さ方向の距離が大きくなるように）着用者側へと持ち上げられる。これにより、開口２５近傍における吸収性シート部材２０とバックシート２３との間の厚さ方向の距離をより大きくすることができるとともに吸収性シート部材２０の開口２５近傍の部位を着用者にさらに密着させることもできる。
【００５０】
図１に示す吸収性物品１では、上述のように、後部吸収コア２２２の開口２５近傍の部位において、後部吸収コア２２２の幅が開口２５および前部吸収コア２１２に近づくに従って漸次減少する。これにより、各側部ポケット２８が、開口２５近傍から後部吸収コア２２２の外側において後方部２０３に向かって長手方向に広がり、弾性部材２９の収縮により着用者側へと立ち上がるコア被覆シート２２およびバックシート２３の面積が大きくなる。その結果、コア被覆シート２２およびバックシート２３が着用者側へとより大きく立ち上がり、開口２５近傍における吸収性シート部材２０とバックシート２３との間の厚さ方向の距離をより大きくすることができるとともに吸収性シート部材２０の開口２５近傍の部位を着用者にさらに密着させることもできる。
【００５１】
同様に、前部吸収コア２１２の開口２５近傍の部位において、前部吸収コア２１２の幅が開口２５および後部吸収コア２２２に近づくに従って漸次減少することにより、各側部ポケット２８が、開口２５近傍から前部吸収コア２１２の外側において前方部２０１に向かって長手方向に広がり、その結果、開口２５近傍における吸収性シート部材２０とバックシート２３との間の厚さ方向の距離がさらに大きくなるとともに吸収性シート部材２０の開口２５近傍の部位が着用者にさらに密着する。
【００５２】
また、一対の弾性部材２９が、開口２５近傍において後部吸収コア２２２および前部吸収コア２１２の幅方向の外側に位置することにより、各側部ポケット２８において、弾性部材２９の収縮力が十分に発揮されてコア被覆シート２２およびバックシート２３が着用者側へとより大きく立ち上がる。その結果、開口２５近傍における吸収性シート部材２０とバックシート２３との間の厚さ方向の距離がさらに大きくなるとともに吸収性シート部材２０の開口２５近傍の部位が着用者により一層密着する。
【００５３】
吸収性物品１では、前部吸収コア２１２と後部吸収コア２２２とが長手方向において離間しており、開口２５の幅方向の両側の領域には、前部吸収コア２１２および後部吸収コア２２２は存在しない。これにより、開口２５の幅方向の両側において、吸収性シート部材２０の柔軟性が他の部位に比べて向上され、コア被覆シート２２およびバックシート２３が着用者側へとより大きく立ち上がる。その結果、開口２５近傍における吸収性シート部材２０とバックシート２３との間の厚さ方向の距離をより大きくすることができるとともに吸収性シート部材２０の開口２５近傍の部位を着用者にさらに密着させることもできる。
【００５４】
上述のように、一対の弾性部材２９の後部吸収コア２２２と重なる部位は、後部吸収コア２２２のバックシート２３側に配置されており、これにより、後部吸収コア２２２がバックシート２３からより大きく離れるように着用者側へと持ち上げられる。その結果、開口２５近傍における吸収性シート部材２０とバックシート２３との間の厚さ方向の距離をより大きくすることができるとともに吸収性シート部材２０の開口２５近傍の部位を着用者にさらに密着させることもできる。また、一対の弾性部材２９の前部吸収コア２１２と重なる部位が前部吸収コア２１２のバックシート２３側に配置されることにより、前部吸収コア２１２がバックシート２３からより大きく離れるように着用者側へと持ち上げられるため、開口２５近傍における吸収性シート部材２０とバックシート２３との間の厚さ方向の距離がさらに大きくなるとともに吸収性シート部材２０の開口２５近傍の部位が着用者により一層密着する。
【００５５】
吸収性物品１のバックシート２３では、撥水性または不透液性の外装シート２３１の着用者側に親水性シート２３２が積層されることにより、バックシート２３の中央露出領域２３５にて受けた排泄物の水分をバックシート２３上にて長手方向に迅速に拡散させ、後部ポケット２７および前部ポケット２６の内部空間へと容易に導くことができる。また、外装シート２３１の着用者側に吸収シート２３３が設けられることにより、排泄物の水分をバックシート２３上にて固定することができるため、着用者の肌への排泄物の付着がさらに抑制される。
【００５６】
吸収性物品１では、本体部２の幅方向の両側に一対の側壁部３が形成されることにより、後部ポケット２７、側部ポケット２８および前部ポケット２６に収容されなかった排泄物が、着用者の脚周りから漏出することを防止することができる。
【００５７】
以上、本発明の実施の形態について説明してきたが、本発明は上記実施の形態に限定されるものではなく、様々な変更が可能である。
【００５８】
一対の弾性部材２９の後部吸収コア２２２と重なる部位は、後部吸収コア２２２に直接的に接合される必要はなく、例えば、第２被覆シート２２０２として２枚の不織布が積層された部材が利用される場合、弾性部材２９は、当該２枚の不織布の間に配置されて後部吸収コア２２２に間接的に接合されてよい。弾性部材２９の前部吸収コア２１２に重なる部位も、同様に、前部吸収コア２１２に間接的に接合されてもよい。
【００５９】
弾性部材２９の後部吸収コア２２２と重なる部位は、後部吸収コア２２２の着用者側に配置されてもよく、後部吸収コア２２２が複数のコア部材が積層された積層体である場合には、コア部材とコア部材との間に配置されてもよい（一対の弾性部材２９の前部吸収コア２１２と重なる部位においても同様）。
【００６０】
吸収性シート部材２０では、コア被覆シート２２は１枚のシート部材とされてもよく、この場合、当該シート部材の前部吸収コア２１２および後部吸収コア２２２の着用者側を覆う部位が第１被覆シート２２０１に相当し、前部吸収コア２１２および後部吸収コア２２２のバックシート２３側を覆う部位が第２被覆シート２２０２に相当する。また、コア被覆シート２２は、少なくとも前部吸収コア２１２および後部吸収コア２２２の着用者側を覆っていればよい。
【００６１】
吸収性シート部材２０では、前部吸収コア２１２と後部吸収コア２２２とが、開口２５の幅方向の両側において連続するように設けられてもよく、前部吸収コア２１２および後部吸収コア２２２をまとめて吸収コアと呼ぶと、開口２５は、本体部２の中間部２０２において吸収コアに形成された貫通穴となる。一対の弾性部材２９は、開口２５の幅方向の両側において当該吸収コアと重なっていてもよく、この場合であっても、一対の弾性部材２９の幅方向の外側においてコア被覆シート２２のバックシート２３に直接的に対向する面がバックシート２３と非接合とされることにより、弾性部材２９の収縮により側部ポケット２８が大きく形成される。その結果、開口２５近傍における吸収性シート部材２０とバックシート２３との間の厚さ方向の距離が大きく維持されるとともに吸収性シート部材２０の開口２５近傍の部位が着用者に密着する。
【００６２】
バックシート２３は、少なくとも撥水性または不透液性の外装シート２３１を備えていればよく、親水性シート２３２および吸収シート２３３のいずれか一方または両方が省略されてもよい。
【００６３】
開口２５の平面視における形状は図１に示す形状には限定されず、また、前部吸収コア２１２および後部吸収コア２２２の幅も必ずしも開口２５近傍において漸次減少する必要はない。例えば、図５に示す吸収性物品１ａのように、開口２５ａの平面視における形状が略楕円形とされてもよく、前部吸収コア２１２および後部吸収コア２２２の幅は一定とされてもよい。吸収性物品１ａでは、開口２５ａ近傍において一対の弾性部材２９と前部吸収コア２１２および後部吸収コア２２２が重なっており、また、吸収性シート部材２０の長手方向における開口２５ａに対応する部位（すなわち、吸収性シート部材２０の長手方向において開口２５ａが存在する部位であり、開口２５ａと一対の弾性部材２９との間の部位を含む。）には吸収コアは存在しない。なお、吸収性物品１ａでは、平面視において略矩形状の前部吸収コア２１２および後部吸収コア２２２の幅が互いに等しくされるが、例えば、前部吸収コア２１２の幅が後部吸収コア２２２の幅よりも小さくされてもよい。
【００６４】
図１に示す吸収性物品１では、例えば、後部ポケット２７および側部ポケット２８にて排泄物を確実に収容できる場合には、前部ポケット２６は設けられなくてもよい。この場合、吸収性シート部材２０の前部吸収コア２１２に対応する部位が、およそ全面に亘ってバックシート２３に接合される。
【００６５】
吸収性物品１の構造は、外装物品の内側に取り付けられる補助吸収具以外にも、例えば、上端に胴部開口を有し、下部に一対の脚部開口を有するパンツタイプの使い捨ておむつや、着用者の腹側に当接する部位と背側に当接する部位とを腰回りで止着して着用するオープンタイプの使い捨ておむつに適用されてよい。
【図面の簡単な説明】
【００６６】
【図１】本発明の一の実施の形態に係る吸収性物品の平面図である。
【図２】吸収性物品の断面図である。
【図３】吸収性物品の断面図である。
【図４】吸収性物品の断面図である。
【図５】吸収性物品の他の例を示す平面図である。
【符号の説明】
【００６７】
１，１ａ    吸収性物品
３    側壁部
２０    吸収性シート部材
２２    コア被覆シート
２３    バックシート
２５，２５ａ    開口
２６    前部ポケット
２７    後部ポケット
２８    側部ポケット
２９    弾性部材
２１２    前部吸収コア
２２２    後部吸収コア
２３１    外装シート
２３２    親水性シート
２３３    吸収シート
【図１】
0005102106.tif 000002
【図２】
0005102106.tif 000003
【図３】
0005102106.tif 000004
【図４】
0005102106.tif 000005
【図５】
0005102106.tif 000006